(57)【要約】  ドラム洗濯機であって、前部の開口（１６）に扉（１７）が設けられており、扉（１７）の一方の側が洗濯機の筐体にヒンジ接続されており、前記扉は内外２層構造であり、内扉（１）と外扉（２）を含み、内扉（１）は洗濯機の筐体にヒンジ接続されて前記筐体における前部の開口（１６）を部分的に開放／閉止し、内扉の上部には開口（８）が設けられており、外扉は内扉（１）にヒンジ接続されて前記内扉（１）の開口を開放／閉止し、前記内扉（１）と外扉（２）を組み合わせることで、前記筐体における前部の開口（１６）全体が開放／閉止される。通常、ユーザは内扉（１）を開放することで衣類を洗濯機に出し入れ可能である。また、洗濯中にユーザが洗濯機内に衣類や洗剤を追加したい場合には、洗濯機内部の水が完全に排出されてから扉を開放して追加するような必要はなく、外扉（２）を開放して内扉（１）上部の開口から洗濯機内に衣類や洗剤を追加すればよい。且つ、内扉（１）と外扉（２）はしっかりと接続されており、外側からは１つの一体的な扉（１７）に見えるため、ユーザに対し全体として好ましい印象を与える。【選択図】図４
2018538089.tif 000002
【特許請求の範囲】
【請求項１】
ドラム洗濯機であって、前部の開口に扉が設けられており、扉の一方の側が洗濯機の筐体にヒンジ接続されているドラム洗濯機において、
前記扉は内外２層構造であり、内扉と外扉を含み、内扉は洗濯機の筐体にヒンジ接続されて前記筐体における前部の開口を部分的に開放／閉止し、内扉の上部には開口が設けられており、外扉は内扉にヒンジ接続されて前記内扉の開口を開放／閉止し、前記内扉と外扉を組み合わせることで、前記筐体における前部の開口全体が開放／閉止されることを特徴とするドラム洗濯機。
【請求項２】
前記内扉は、下部に内扉ガラス窓が設けられるとともに上部に開口が設けられており、外扉の上部には内扉上部の開口を開放／閉止するための外扉ガラス窓が設けられており、内扉ガラス窓と外扉ガラス窓を組み合わせることで覗き窓が形成されることを特徴とする請求項１に記載のドラム洗濯機。
【請求項３】
前記外扉の外側には、外扉ガラス窓に接続されて外扉ガラス窓と内扉ガラス窓を覆う外扉窓カバーが設けられていることを特徴とする請求項１又は２に記載のドラム洗濯機。
【請求項４】
前記内扉と外扉の間には扉ロック構造が設けられており、前記扉ロック構造によって外扉と内扉を一体的にロック可能であることを特徴とする請求項１〜３のいずれかに記載のドラム洗濯機。
【請求項５】
前記内扉は、内扉の内フレーム、内扉の外フレーム及び内扉ガラス窓を含み、前記内フレームと外フレームは環状のフレームであり、前記内扉ガラス窓は、内扉の内フレームと内扉の外フレームの内環により取り囲まれた領域の下半分を少なくとも覆うとともに上部が開口となっており、好ましくは、前記内扉ガラス窓は、外側の輪郭が半円形をなしており、中央部が筐体内に向かって突出しており、下部の円弧部分の辺縁にフランジが設けられており、前記フランジが内扉の内フレームと内扉の外フレームの間に挟持されることを特徴とする請求項１又は２に記載のドラム洗濯機。
【請求項６】
前記外扉は、外扉の内フレーム、外扉の外フレーム及び外扉ガラス窓を含み、前記外扉の内フレームと外扉の外フレームは環状のフレームであり、前記外扉ガラス窓は、外扉の内フレームと外扉の外フレームの内環により取り囲まれた領域の上部を覆い、好ましくは、前記外扉ガラス窓は半円形の透明なボウルであり、端部に半円形の開口が設けられており、前記開口は外扉の外フレーム又は外扉窓カバーに面しており、下部の円弧部分の辺縁にはフランジが設けられており、前記フランジが外扉の内フレームと外扉の外フレームの間に挟持され、外扉窓カバーが外扉の外フレームに接続されていることを特徴とする請求項１〜５のいずれかに記載のドラム洗濯機。
【請求項７】
前記内扉ガラス窓における上部の折り返し部分にはシール構造が設けられており、前記シール構造は、内扉ガラス窓における上部の折り返しを包み込む掛合溝型の装着ベースと、装着ベースの上部において装着ベースの上面と一定の角度をなす弾性のエッジシールを含むことを特徴とする請求項１〜６のいずれかに記載のドラム洗濯機。
【請求項８】
前記内扉の内フレームと内扉の外フレームの間には、内扉ガラス窓に対応する箇所にガードプレートが設けられており、前記ガードプレートと前記内扉ガラス窓の突出部分に収容空間が形成されていることを特徴とする請求項１〜７のいずれかに記載のドラム洗濯機。
【請求項９】
前記内扉ガラス窓は半円面よりも大きく、前記外扉ガラス窓は半円面よりも小さいことを特徴とする請求項１〜８のいずれかに記載のドラム洗濯機。
【請求項１０】
前記内扉と筐体のヒンジ接続箇所は筐体の一方の側に位置し、前記内扉と外扉のヒンジ接続箇所は筐体のもう一方の側に位置しており、
或いは、前記内扉と筐体のヒンジ接続箇所及び前記内扉と外扉のヒンジ接続箇所は筐体の同一側に位置しており、
或いは、前記内扉と筐体のヒンジ接続箇所は筐体の一方の側に位置し、前記内扉と外扉のヒンジ接続箇所は筐体の下側に位置していることを特徴とする請求項１〜９のいずれかに記載のドラム洗濯機。
【発明の詳細な説明】
【技術分野】
【０００１】
本発明は洗濯機分野に関し、特に、複数の扉開放方式を備えるドラム洗濯機に関する。
【背景技術】
【０００２】
従来のドラム洗濯機では衣類投入口がサイド部分に設置されている。また、衣類投入口には扉が設けられており、ユーザは洗浄前に扉を開放してドラムに衣類を投入し、洗浄時には扉で衣類投入口を閉止する。洗浄時には洗浄筒内に水が存在し、衣類乾燥時には筒内を加熱する必要があるため、ユーザが洗濯途中のドラム洗濯機に対し洗濯すべき衣類を追加しようとする場合には、ドラム洗濯機内の水が完全に排出されるか、内部の温度が所定の温度まで下がるのを待ち、洗濯機の扉ロックが解錠されてからでなければ衣類を追加することができない。そのため、時間や水資源が無駄となるだけでなく、ユーザにとっても使用の上でたいへん不便であった。
【０００３】
以上に鑑みて、本発明を提案する。
【発明の概要】
【発明が解決しようとする課題】
【０００４】
本発明は、従来技術における瑕疵を解消し、複数の扉開放方式を備えるドラム洗濯機を提供することを目的とする。
【課題を解決するための手段】
【０００５】
上記の目的を実現するために、本発明では以下の技術方案を用いる。即ち、ドラム洗濯機であって、前部の開口に扉が設けられており、扉の一方の側が洗濯機の筐体にヒンジ接続されており、前記扉は内外２層構造であり、内扉と外扉を含み、内扉は洗濯機の筐体にヒンジ接続されて前記筐体における前部の開口を部分的に開放／閉止し、内扉の上部には開口が設けられており、外扉は内扉にヒンジ接続されて前記内扉の開口を開放／閉止し、前記内扉と外扉を組み合わせることで、前記筐体における前部の開口全体が開放／閉止される。
【０００６】
前記内扉は、下部に内扉ガラス窓が設けられるとともに上部に開口が設けられており、外扉の上部には内扉上部の開口を開放／閉止するための外扉ガラス窓が設けられており、内扉ガラス窓と外扉ガラス窓を組み合わせることで覗き窓が形成される。
【０００７】
前記外扉の外側には、外扉ガラス窓に接続されて外扉ガラス窓と内扉ガラス窓を覆う外扉窓カバーが設けられている。
【０００８】
前記内扉と外扉の間には扉ロック構造が設けられており、前記扉ロック構造によって外扉と内扉を一体的にロック可能である。
【０００９】
前記内扉は、内扉の内フレーム、内扉の外フレーム及び内扉ガラス窓を含み、前記内フレームと外フレームは環状のフレームであり、前記内扉ガラス窓は、内扉の内フレームと内扉の外フレームの内環により取り囲まれた領域の下半分を少なくとも覆うとともに上部が開口となっている。
【００１０】
前記内扉ガラス窓は、外側の輪郭が半円形をなしており、中央部が筐体内に向かって突出しており、下部の円弧部分の辺縁にフランジが設けられており、前記フランジが内扉の内フレームと内扉の外フレームの間に挟持される。
【００１１】
前記外扉は、外扉の内フレーム、外扉の外フレーム及び外扉ガラス窓を含み、前記外扉の内フレームと外扉の外フレームは環状のフレームであり、前記外扉ガラス窓は、外扉の内フレームと外扉の外フレームの内環により取り囲まれた領域の上部を覆う。
【００１２】
前記外扉ガラス窓は半円形の透明なボウルであり、端部に半円形の開口が設けられており、前記開口は外扉の外フレーム又は外扉窓カバーに面しており、下部の円弧部分の辺縁にはフランジが設けられており、前記フランジが外扉の内フレームと外扉の外フレームの間に挟持され、外扉窓カバーが外扉の外フレームに接続されている。
【００１３】
前記内扉ガラス窓における上部の折り返し部分にはシール構造が設けられており、前記シール構造は、内扉ガラス窓における上部の折り返しを包み込む掛合溝型の装着ベースと、装着ベースの上部において装着ベースの上面と一定の角度をなす弾性のエッジシールを含む。
【００１４】
前記内扉の内フレームと内扉の外フレームの間には、内扉ガラス窓に対応する箇所にガードプレートが設けられており、前記ガードプレートと前記内扉ガラス窓の突出部分に収容空間が形成されている。
【００１５】
前記内扉ガラス窓は半円面よりも大きく、前記外扉ガラス窓は半円面よりも小さい。
【００１６】
前記内扉と筐体のヒンジ接続箇所は筐体の一方の側に位置し、前記内扉と外扉のヒンジ接続箇所は筐体のもう一方の側に位置しており、或いは、前記内扉と筐体のヒンジ接続箇所及び前記内扉と外扉のヒンジ接続箇所は筐体の同一側に位置しており、或いは、前記内扉と筐体のヒンジ接続箇所は筐体の一方の側に位置し、前記内扉と外扉のヒンジ接続箇所は筐体の下側に位置している。
【発明の効果】
【００１７】
本発明で記載した技術方案を用いれば、以下の有益な効果が得られる。即ち、通常、ユーザは内扉を開放することで衣類を洗濯機に出し入れ可能である。また、洗濯中にユーザが洗濯機内に衣類や洗剤を追加したい場合には、洗濯機内部の水が完全に排出されてから扉を開放して追加するような必要はなく、外扉を開放して内扉上部の開口から洗濯機内に衣類や洗剤を追加すればよい。且つ、内扉と外扉はしっかりと接続されており、外側からは１つの一体的な扉に見えるため、ユーザに対し全体として好ましい印象を与える。また、複数の扉開放方式が提供される。
【００１８】
以下に、図面を組み合わせて本発明の具体的実施形態につき更に詳細に述べる。
【図面の簡単な説明】
【００１９】
【図１】図１は、本発明で記載する洗濯機の構造図である。
【図２】図２は、本発明で記載する洗濯機の内扉と外扉を合わせて開放する場合の構造図である。
【図３】図３は、本発明で記載する洗濯機の外扉を解放する場合の構造図である。
【図４】図４は、本発明で記載する洗濯機の内扉の開放と外扉の開放を示す構造図である。
【図５】図５は、図４の平面図である。
【図６】図６は、本発明の内扉の構造図である。
【図７】図７は、本発明の外扉の構造図である。
【図８】図８は、本発明のシール構造を示す図である。
【発明を実施するための形態】
【００２０】
図１〜図５は、本発明で記載するドラム洗濯機を示す。洗濯機１５における前部の開口１６には扉１７が設けられており、扉１７の一方の側が洗濯機１５の筐体にヒンジ接続されている。前記扉１７は内外２層構造となっており、内扉１と外扉２を含む。内扉１は内側が洗濯機の筐体にヒンジ接続されており、前記筐体における前部の開口１６を部分的に開放／閉止する。また、内扉１の上部には開口８が設けられている。外扉２は内側が内扉１にヒンジ接続されており、前記内扉の開口８を開放／閉止する。前記内扉１と外扉２を組み合わせることで、前記筐体における前部の開口１６全体が開放／閉止される。
【００２１】
前記扉１７は内扉１と外扉２を含む。内扉１の内側は洗濯機の筐体にヒンジ接続されており、内扉１の外側は外扉２にヒンジ接続されている。また、内扉１は下部に内扉ガラス窓３が設けられており、上部には開口が設けられている。外扉２の上部には内扉上部の開口を開放／閉止するための外扉ガラス窓４が設けられており、内扉ガラス窓３と外扉ガラス窓４を組み合わせることで覗き窓が形成される。内扉１を開放すると洗濯機における前部の開口が全体的に開放され、外扉２を開放すると、内扉１が洗濯機に接続されたままで内扉１上部の開口が開放される。通常、ユーザは内扉を開放することで衣類を洗濯機に出し入れ可能である。また、洗濯中にユーザが洗濯機内に衣類や洗剤を追加したい場合には、洗濯機内部の水が完全に排出されてから扉を開放して追加するような必要はなく、外扉を開放して内扉上部の開口から洗濯機内に衣類や洗剤を追加すればよい。且つ、内扉と外扉はしっかりと接続されており、外側からは１つの一体的な扉に見えるため、ユーザに対し全体として好ましい印象を与える。
【００２２】
前記内扉１と外扉２の間には扉ロック構造が設けられており、前記扉ロックによって外扉と内扉を一体的にロック可能である。外扉と内扉が一体的にロックされている場合には、従来の洗濯機と同様に内扉を開放することで洗濯機における前部の開口が全体的に開放されるため、洗濯機内への衣類の出し入れが可能となる。好ましくは、外扉２の内側に外扉ロック５が設けられ、前記外扉ロック５によって外扉２を内扉１にロック可能とする。
【００２３】
図６に示すように、前記内扉１は、内扉の内フレーム６、内扉の外フレーム７及び内扉ガラス窓３を含む。前記内扉の内フレーム６と内扉の外フレーム７は環状のフレームであり、前記内扉ガラス窓３は、内扉の内フレーム６と内扉の外フレーム７の内環により取り囲まれた領域の下半分を少なくとも覆う。また、内扉の内フレームと内扉の外フレームの内環により取り囲まれた領域の上部は内扉の開口８となっている。前記内扉ガラス窓３は内扉の内フレーム６と内扉の外フレーム７の間に設けられている。前記内扉の内フレーム６と内扉の外フレーム７は、一体的に係接されるかネジによって一体的に接続された後、それらの間に内扉ガラス窓３の辺縁を挟むことでこれら三者の固定接続を実現する。前記内扉の内フレームは洗濯機の筐体にヒンジ接続されている。内扉の内フレームのうちヒンジ接続箇所と対向するもう一方の側には内扉ロック１８が設けられており、前記内扉ロック１８によって内扉を洗濯機の筐体にロック可能とする。
【００２４】
前記内扉ガラス窓３は外側の輪郭が半円形をなしており、中央部が筐体内に向かって突出している。また、下部の円弧部分の辺縁にはフランジが設けられており、前記フランジが内扉の内フレームと内扉の外フレームの間に挟持される。更に、上部は“［”型の折り返し形状となっている。前記内扉ガラス窓３は、半円形の透明なボウルから平面状の側面を切り取ってなる。弧面状の側面の端部にはフランジが設けられており、前記フランジが内扉の内フレームと内扉の外フレームの間に挟持されることで固定が実現される。また、前記平面状の側面を切り取ることで、当該面は上面にシール構造１２を設置しやすいよう“［”型の折り返し形状をなしている。
【００２５】
図７に示すように、前記外扉２は、外扉の内フレーム９、外扉の外フレーム１０及び外扉ガラス窓４を含む。前記外扉の内フレーム９と外扉の外フレーム１０は環状のフレームであり、前記外扉ガラス窓４は、外扉の内フレーム９と外扉の外フレーム１０の内環により取り囲まれた領域の上部を覆う。前記外扉ガラス窓４は外扉の内フレーム９と外扉の外フレーム１０の間に設けられている。前記外扉の内フレーム９と前記外扉の外フレーム１０は、一体的に係接されるかネジによって一体的に接続された後、それらの間に外扉ガラス窓４の辺縁を挟むことでこれら三者の固定接続を実現する。好ましくは、前記外扉は更に外扉窓カバー１１を含む。前記外扉の外側には、外扉ガラス窓に接続されて外扉ガラス窓４と内扉ガラス窓３を覆う外扉窓カバー１１が設けられている。前記外扉ガラス窓４は半円形の透明なボウルであり、端部に半円形の開口が設けられている。また、前記開口は外扉の外フレーム１０又は外扉窓カバー１１に面している。下部の円弧部分の辺縁にはフランジが設けられており、前記フランジが外扉の内フレームと外扉の外フレームの間に挟持される。前記外扉ガラス窓は内扉の上部開口を閉止するものである。前記外扉窓カバーは外扉ガラス窓における外端の開口を閉止可能であるとともに、内扉ガラス窓における外端の開口も閉止可能である。
【００２６】
図６及び図８に示すように、前記内扉の内フレーム６と洗濯機の筐体の間にシールリングが設けられるとともに、前記外扉の内フレームと内扉の外フレームの間にシールリングが設けられている。また、前記内扉ガラス窓３と外扉ガラス窓４の間にはシール構造１２が設けられており、且つ、シール構造１２は前記内扉ガラス窓３における上部の折り返し部分に設けられている。前記シール構造は、内扉ガラス窓における上部の折り返しを包み込む掛合溝型の装着ベース１３と、装着ベース１３の上部において装着ベースの上面と一定の角度をなす弾性のエッジシール１４を含む。前記シール構造は、内扉ガラス窓の上部に対応する帯状構造をなしている。また、前記装着ベース１３は掛合溝構造をなしており、前記内扉ガラス窓における上部の折り返しに掛合される。前記エッジシール１４は装着ベース１３に一体的に設けられる軟質のエッジシールである。前記エッジシールは装着ベースの上面と一定の角度をなしており、好ましくは垂直をなす。外扉が閉止される際、外扉ガラス窓は内側に向かって運動してエッジシールに衝突し、エッジシールを押圧する。そして、外扉が完全に閉止されると、エッジシールが外扉ガラス窓と装着ベースの間で押圧されることで密封がなされる。なお、外扉が開放される際にエッジシールは元の位置に回復する。前記装着ベースは比較的硬質の材質からなり、前記エッジシールは軟質の材料からなる。装着ベースとエッジシールは一体的に成型されるため、軟質と硬質の複合押出成形技術で加工してもよいし、二次成形技術により加工してもよい。
【００２７】
前記内扉の内フレーム６と内扉の外フレーム７の間には、内扉ガラス窓に対応する箇所にガードプレート（図示しない）が設けられており、前記ガードプレートと前記内扉ガラス窓の突出部分に収容空間が形成されている。前記ガードプレートは透明構造であって、外扉を開放することで衣類や洗剤等を投入可能なことから、内扉ガラス部分の空間を十分に活用できる。
【００２８】
好ましくは、前記内扉ガラス窓３は半円面よりも大きく、前記外扉ガラス窓４は半円面よりも小さい。外扉の開放時に水の跳ね返りが回避されるよう、内扉の開口からは衣類を１着投入できればよい。
【００２９】
前記内扉と筐体のヒンジ接続箇所は筐体の一方の側に位置し、前記内扉と外扉のヒンジ接続箇所は筐体のもう一方の側に位置する。例えば、内扉と外扉を合わせて左側に開放可能な場合、外扉は右側に開放可能である。或いは、前記内扉と筐体のヒンジ接続箇所及び前記内扉と外扉のヒンジ接続箇所は筐体の同一側に位置する。例えば、内扉と外扉を合わせて左側に開放可能な場合、外扉もまた左側に開放可能である。或いは、前記内扉と筐体のヒンジ接続箇所は筐体の一方の側に位置し、前記内扉と外扉のヒンジ接続箇所は筐体の下側に位置する。例えば、内扉と外扉を合わせて左側に開放可能な場合、外扉は下側に開放可能である。このように、扉開放方式について複数の選択肢を提供可能である。
【００３０】
なお、以上は本発明の好ましい実施形態にすぎない。当業者であれば、本発明の原理を逸脱しないことを前提に更に様々な変形及び改良が可能であり、これらもまた本発明の保護の範囲とみなされる。
【符号の説明】
【００３１】
１  内扉
２  外扉
３  内扉ガラス窓
４  外扉ガラス窓
５  外扉ロック
６  内扉の内フレーム
７  内扉の外フレーム
８  開口
９  外扉の内フレーム
１０  外扉の外フレーム
１１  外扉窓カバー
１２  シール構造
１３  装着ベース
１４  エッジシール
１５  洗濯機
１６  前部の開口
１７  扉
１８  内扉ロック
【図１】
2018538089.tif 000003
【図２】
2018538089.tif 000004
【図３】
2018538089.tif 000005
【図４】
2018538089.tif 000006
【図５】
2018538089.tif 000007
【図６】
2018538089.tif 000008
【図７】
2018538089.tif 000009
【図８】
2018538089.tif 000010
【国際調査報告】
2018538089.tif 000011
2018538089.tif 000012
2018538089.tif 000013
2018538089.tif 000014
2018538089.tif 000015
2018538089.tif 000016